(57)【要約】【課題】ゆるみ防止ネジ及びそれを形成するためのダイ装置の提供。【解決手段】ゆるみ防止ネジ（２０）は、山の頂（３０）と谷底（３２）の間に延伸された二つのフランク（３４、３６）の間のネジ山の角度が６３°から６８°である雄ネジ（２８）を有するシャンク（２４）を包含する。該フランク（３４、３６）の一つとシャンク（２４）の縦軸（Ｘ）に対して垂直に延伸された軸（Ｙ）との間の第１角（Ａ）は、２５°から２９°の範囲にある。該ゆるみ防止ネジ（２０）は、ネジ山の角度が６０°の雌ネジ（４２）を具えた対象物（４０）と係合可能で、干渉はまりを提供し、及び、対応する峰（１３０、１５０）及び谷（１３６、１５６）を具えたネジ形成コンフィギュレーション（１２８、１４８）をそれぞれ包含する二つのダイス（１２０、１４０）により形成され得る。【選択図】図２
2015052367.tif 000002
【特許請求の範囲】
【請求項１】
ゆるみ防止ネジにおいて、該ゆるみ防止ネジ２０は頭２２と該頭２２の一側より延伸されたシャンク２４を包含し、該シャンク２４はその周囲に形成された雄ネジ２８を具え、該雄ネジ２８は山の頂３０と谷底３２を具え、該山の頂３０及び谷底３２はらせん状であり、第１フランク３４及び第２フランク３６が該山の頂３０と該谷底３２の間に延伸され、該雄ネジ２８は該第１フランク３４と該第２フランク３６の間の６３°から６８°のネジ山の角を有し、該シャンク２４は縦軸Ｘを有し、該縦軸Ｘに対して垂直に延伸された軸Ｙが山の頂３０を通過し、該ネジ山の角は第１角Ａと第２角Ｂを包含し、該第１角Ａは該軸Ｙと該第１フランク３４及び該第２フランク３６のうち一方との間に画定され、該第２角Ｂは該軸Ｙと該第１フランク３４及び該第２フランク３６のうち他方との間に画定され、該第１角Ａは３４°から４０°の範囲であり、第２角Ｂは２５°から２９°の範囲であることを特徴とする、ゆるみ防止ネジ。
【請求項２】
請求項１記載のゆるみ防止ネジにおいて、該雄ネジ２８のネジ山の角は６４°であることを特徴とする、ゆるみ防止ネジ。
【請求項３】
ゆるみ防止ネジと対象物の組み合わせにおいて、
ゆるみ防止ネジ２０であって、該ゆるみ防止ネジ２０は頭２２と該頭２２の一側より延伸されたシャンク２４を包含し、該シャンク２４はその周囲に形成された雄ネジ２８を具え、該雄ネジ２８は山の頂３０と谷底３２を具え、該山の頂３０及び谷底３２はらせん状であり、第１フランク３４及び第２フランク３６が該山の頂３０と該谷底３２の間に延伸され、該雄ネジ２８は該第１フランク３４と該第２フランク３６の間の６３°から６８°のネジ山の角を有し、該シャンク２４は縦軸Ｘを有し、該縦軸Ｘに対して垂直に延伸された軸Ｙが山の頂３０を通過し、該ネジ山の角は第１角Ａと第２角Ｂを包含し、該第１角Ａは該軸Ｙと該第１フランク３４及び該第２フランク３６のうち一方との間に画定され、該第２角Ｂは該軸Ｙと該第１フランク３４及び該第２フランク３６のうち他方との間に画定され、該第１角Ａは３４°から４０°の範囲であり、第２角Ｂは２５°から２９°の範囲である、上記ゆるみ防止ネジ２０と、
対象物４０であって、雌ネジ４２を包含し、該雌ネジ４２はネジ山の角が６０°であり、該雌ネジ４２は該ゆるみ防止ネジ２０の雄ネジ２８のピッチと同じピッチを有し、該雌ネジ４２はらせん状の山の頂３０とらせん状の谷底４６を有し、該雌ネジ４２はさらに、第１フランク４８と第２フランク５０を有する、上記対象物４０と、
を包含し、そのうち、該ゆるみ防止ネジ２０の該シャンク２４が該対象物４０に係合し、該雄ネジ２８は該雌ネジ４２と干渉はまりを形成し、該雄ネジ２８の少なくとも一つの接触部及び該雄ネジ２８の該接触部と接触する該雌ネジ４２の接触部が変形させられることを特徴とする、ゆるみ防止ネジと対象物の組み合わせ。
【請求項４】
請求項３記載のゆるみ防止ネジと対象物の組み合わせにおいて、該雄ネジ２８のネジ山の角は６４°であることを特徴とする、ゆるみ防止ネジと対象物の組み合わせ。
【請求項５】
ゆるみ防止ネジ形成用ダイ装置において、
第１ダイ１２０及び第２ダイ１４０であって、該第１ダイ１２０及び該第２ダイ１４０は、縦軸に沿って互いに離間した二端１２２、１２４、１４２、１４４をそれぞれ有し、操作表面１２６、１４６が該二端１２２、１２４、１４２、１４４の間に延伸され及びネジ形成コンフィギュレーション１２８、１４８をそれぞれ有し、該ネジ形成コンフィギュレーション１２８、１４８は、互いに離間し及び互いに平行である複数の峰１３０、１５０及び、互いに離間し及び互いに平行であり並びに該複数の峰１３０、１５０に平行である複数の谷１３６、１５６を包含し、該第１ダイ１２０の二つの隣り合う峰１３０の間の間隙は該第２ダイ１４０の二つの隣り合う峰１５０間の間隙に等しく、該第１ダイ１２０の二つの隣り合う谷１３６の間の間隙は該第２ダイ１４０の二つの隣り合う谷１５６間の間隙に等しく、各該峰１３０、１５０及び各該谷１３６、１５６は該縦軸に関して斜めとされ、各谷１３６、１５６は各隣り合う峰１３０、１５０の間に位置し、各該峰１３０、１５０は各隣り合う二つの谷１３６、１５６の間に位置すると共に第１側１３２、１５２及び第２側１３４、１５４を包含し、該第１側１３２、１５２は該峰１３０、１５０と該二つの隣り合う谷１３６、１５６のうちの一つの間に位置し、該第２側１３４、１５４は該峰１３０、１５０と該二つの隣り合う谷１３６、１５６のうちもう一つの間に位置し、該第１側と該第２側の間の鋭角は６３°から６８°の範囲にあり、該鋭角は第１角Ｃ、Ｅと第２角Ｄ、Ｆを包含し、該第１角Ｃ、Ｅは該第１側１３２、１５２と該峰１３０、１５０の接線に対して垂直に延伸された軸Ｙ１、Ｙ２の間に画定され、該第２角Ｄ、Ｆは該軸Ｙ１、Ｙ２と該第２側１３４、１５４の間に画定され、該第１角Ｃ、Ｅは３４°から４０°の範囲にあり、該第２角Ｄ、Ｆは２５°から２９°の範囲にあり、該第１ダイ１２０の該第１角Ｃは該第２ダイ１４０の該第１角Ｅに等しく、該第１ダイ１２０の第２角Ｄは該第２ダイ１４０の第２角Ｆに等しい、上記第１ダイ１２０及び第２ダイ１４０を包含し、  そのうち、ネジブランクの該シャンク２４の外周が、該第１ダイ１２０と第２ダイ１４０の間に挟まれ、操作表面１２６、１４６は互いに平行で離間し、該第２ダイ１４０は該第１ダイ１２０に対して縦軸に沿って動作可能で、該シャンク２４を押して回転させ、雄ネジ２８を該シャンク２４の外周に形成し、該雄ネジ２８は６３°から６８°のネジ山の角を有することを特徴とする、ゆるみ防止ネジ形成用ダイ装置。
【請求項６】
請求項５記載のゆるみ防止ネジ形成用ダイ装置において、該第１ダイ１２０と該第２ダイ１４０それぞれの該鋭角は６４°とされることを特徴とする、ゆるみ防止ネジ形成用ダイ装置。
【発明の詳細な説明】
【技術分野】
【０００１】
本発明はゆるみ防止ネジ及び該ゆるみ防止ネジを形成するためのダイ装置に係り、さらに詳しくは、６０°より大きいネジ山の角を包含し、対象物に形成され６０°のネジ山の角を有する雌ネジと結合される時に、ゆるみ防止効果を提供する、ゆるみ防止ネジに関する。本発明はまた該ゆるみ防止ネジと該対象物を包含する組み合わせ及び該ゆるみ防止ネジを形成するためのダイ装置に関する。
【背景技術】
【０００２】
ネジは広く日常生活に使用され、対象物中の雌ネジに結合される。Ｃ形スプリングワッシャーがしばしばネジの周りに取り付けられてネジが対象物の雌ネジから緩んで脱落するのを防止する。該スプリングワッシャーは圧縮されて変形させられ、その弾性により反発力を提供することで、ゆるみ防止効果を提供する。しかしながら、該スプリングワッシャーは、制限された空間では使用できない。この制限を解決するため、いくつかの業者はネジのネジ山或いは対象物の雌ネジにコーティングを施している。該コーティングは圧縮され及び変形させられて望まれるゆるみ防止効果を提供する。しかし、コーティングは、製造コストの大きな増加をもたらす。
【発明の概要】
【発明が解決しようとする課題】
【０００３】
ゆえに、コーティング不要の新規のゆるみ防止ネジと該ゆるみ防止ネジを製造するための新規なダイ装置が必要とされている。
【課題を解決するための手段】
【０００４】
本発明によると、ゆるみ防止ネジは、頭と該頭の一側より延伸されたシャンクを包含する。該シャンクはその周囲に形成された雄ネジを具えている。該雄ネジは山の頂と谷底を具えている。該山の頂及び谷底はらせん状である。第１フランク及び第２フランクが該山の頂と該谷底の間に延伸されている。該雄ネジは該第１フランクと該第２フランクの間の６３°から６８°のネジ山の角を有する。該シャンクは縦軸を有する。該縦軸に対して垂直に延伸された軸が該山の頂を通過する。該ネジ山の角は第１角と第２角を包含する。該第１角は該軸と該第１フランク及び該第２フランクのうち一方との間に画定される。該第２角は該軸と該第１フランク及び該第２フランクのうち他方との間に画定される。該第１角は３４°から４０°の範囲である。第２角は２５°から２９°の範囲である。
【０００５】
対象物は雌ネジを包含し、該雌ネジはネジ山の角が６０°である。該雌ネジは該ゆるみ防止ネジの雄ネジのピッチと同じピッチを有する。該雌ネジはらせん状の山の頂とらせん状の谷底を有し、該雌ネジはさらに、第１フランクと第２フランクを有する。
【０００６】
該ゆるみ防止ネジの該シャンクが該対象物に係合する時、該雄ネジは該雌ネジと干渉はまりを形成する。該雄ネジの少なくとも一つの接触部及び該雄ネジの該接触部と接触する該雌ネジの接触部が変形させられる。
【０００７】
第３に、ゆるみ防止ネジ形成用ダイ装置が提供される。該ダイ装置は、第１ダイ及び第２ダイを包含する。該第１ダイと該第２ダイは、それぞれ縦軸に沿って互いに離間した二端を有している。操作表面が該二端の間に延伸され及びネジ形成コンフィギュレーションをそれぞれ有している。該ネジ形成コンフィギュレーションは、互いに離間し及び互いに平行である複数の峰及び、互いに離間し及び互いに平行であり並びに該複数の峰に平行である複数の谷を包含する。該第１ダイの二つの隣り合う峰の間の間隙は該第２ダイの二つの隣り合う峰間の間隙に等しい。該第１ダイの二つの隣り合う谷の間の間隙は該第２ダイの二つの隣り合う谷間の間隙に等しい。各該峰及び各該谷は該縦軸に関して斜めとされ、各谷は各隣り合う峰の間に位置し、各該峰は各隣り合う二つの谷の間に位置すると共に第１側及び第２側を包含する。該第１側は該峰と該二つの隣り合う谷のうちの一つの間に位置し、該第２側は該峰と該二つの隣り合う谷のうちもう一つの間に位置し、該第１側と該第２側の間の鋭角は、６３°から６８°の範囲にあり、該鋭角は第１角と第２角を包含し、該第１角は該第１側と該峰の接線に対して垂直に延伸された軸の間に画定され、該第２角は該軸と該第２側の間に画定され、該第１角は３４°から４０°の範囲にあり、該第２角は２５°から２９°の範囲にあり、該第１ダイの該第１角は該第２ダイの該第１角に等しく、該第１ダイの第２角は該第２ダイの第２角に等しい。
【０００８】
ネジブランクの該シャンクの外周が、該第１ダイと第２ダイの間に挟まれ、操作表面は互いに平行で離間する。該第２ダイは該第１ダイに対して縦軸に沿って動作可能で、該シャンクを押して回転させ、雄ネジを該シャンクの外周に形成し、該雄ネジは６３°から６８°のネジ山の角を有する。
【発明の効果】
【０００９】
本発明は、まず、ゆるみ防止ネジを提供し、次に該ゆるみ防止ネジと対象物の組み合わせを提供することにより、高価でないゆるみ防止ネジの分野におけるこのような必要と他の問題を解決する。
【図面の簡単な説明】
【００１０】
【図１】本発明のゆるみ防止ネジの斜視図である。
【図２】図１の本発明のゆるみ防止ネジの側面図であり、該ゆるみ防止ネジが仮想線で示される対象物内に係合されている。
【図３】図２の丸で囲まれた部分の拡大図である。
【図４】図１の本発明のゆるみ防止ネジの断面図であり、対象物が該ゆるみ防止ネジと結合されている。
【図５】図４の丸で囲まれた部分の拡大図である。
【図６】本発明のゆるみ防止ネジを形成するためのダイ装置の分解図である。
【図７】本発明のゆるみ防止ネジのブランクとゆるみ防止ネジの形成準備ができたダイ装置の模式図である。
【図８】図７の他側から見た一部の拡大側面図である。
【図９】図８の丸で囲まれた部分の拡大図である。
【図１０】図７に類似する図であるが、一方のダイが他方のダイに対して移動させられている。
【図１１】図１０の、線１１−１１に沿った拡大断面図である。
【図１２】図１１の、丸で囲まれた部分の拡大図である。
【発明を実施するための形態】
【００１１】
全ての図面は基本の技術の説明を容易とするために描かれ、記載される実施例を形成するための部品の数、位置、関係及び寸法に関する特徴の延伸範囲は、後続の説明が読まれて理解された後で、この分野の技術内において説明され得るかその中にある。さらに、特定の力、重さ、強さ及び同様の要件も、以下の説明が読まれ、理解された後で本技術の範囲内にある。
【００１２】
各図面において、同様の部材には同じ符号が記される。さらに、「第１」「雌」「雄」「側」「端」「表面」「間隙」「縦」「長さ」及び同様の用語がここで使用されるが、これらの用語は、図面を見る人にとっての参照のためであり、図示された実施例を説明するために用いられる。
【００１３】
図１から図５を参照されたい。本発明のゆるみ防止ネジにおいて、該ゆるみ防止ネジ（２０）は頭（２２）と該頭（２２）の一側より延伸されたシャンク（２４）を包含する。該シャンク（２４）はその周囲に形成された雄ネジ（２８）を具えている。該雄ネジ（２８）は右回り或いは左回りのネジ山とされる。図中では、該雄ネジ（２８）は右回りのネジ山とされる。該雄ネジ（２８）は山の頂（３０）と谷底（３２）を具えている。該山の頂（３０）及び谷底（３２）はらせん状である。第１フランク（３４）及び第２フランク（３６）が該山の頂（３０）と該谷底（３２）の間に延伸されている。
【００１４】
該雄ネジ（２８）は該第１フランク（３４）と該第２フランク（３６）の間の６３°から６８°のネジ山の角を有する。該シャンク（２４）は縦軸（Ｘ）を有し、該縦軸（Ｘ）に対して垂直に延伸された軸（Ｙ）が山の頂（３０）を通過する。該ネジ山の角は第１角（Ａ）と第２角（Ｂ）を包含する。該第１角（Ａ）は該軸（Ｙ）と該第１フランク（３４）及び該第２フランク（３６）のうち一方との間に画定され、該第２角（Ｂ）は該軸（Ｙ）と該第１フランク（３４）及び該第２フランク（３６）のうち他方との間に画定される。該第１角（Ａ）は３４°から４０°の範囲であり、第２角（Ｂ）は２５°から２９°の範囲であり、それは６０°のネジ山の角を有する伝統的な雄ネジの、ネジ山の角の半分の３０°とは異なる。図示される形式では、第１角（Ａ）は軸（Ｙ）と第１フランク（３４）の間に画定され、第２角（Ｂ）は軸（Ｙ）と第２フランク（３６）の間に画定される。
【００１５】
ゆるみ防止ネジ（２０）は対象物（４０）と結合して干渉はまりを提供できる。対象物（４０）はナット或いはアルミニウムマグネシウム合金で形成されたノートブックのハウジングとされて、ゆるみ防止ネジ（２０）の雄ネジ（２８）のピッチと等しいピッチを有する雌ネジ（４２）を包含する。さらに、雌ネジ（４２）はらせん状の山の頂（４４）とらせん状の谷底（４６）を包含する。雌ネジ（４２）はさらに、らせん状の山の頂（４４）とらせん状の谷底（４６）の間に延伸された第１フランク（４８）及び第２フランク（５０）を包含する。第１フランク（４８）と第２フランク（５０）の間のネジ山の角は６０°であり、該第１フランク（４８）と軸（Ｙ）に平行でらせん状の山の頂（４４）を通る軸との間の角度は３０°である。雌ネジ（４２）のピッチ寸法は、好ましくは雄ネジ（２８）のピッチ寸法よりもやや大きいことが好ましい。ゆるみ防止ネジ（２０）は、ゆるみ防止ネジ（２０）のシャンク（２４）が対象物（４０）に挿入される間に回転し、雄ネジ（２８）は雌ネジ（４２）と干渉はまりを形成する。雄ネジ（２８）の少なくとも一つの接触部及び該雄ネジ（２８）の該接触部と接触する雌ネジ（４２）の接触部は押圧されて変形し、互いに作用する垂直力が増加する。雌ネジ（４２）と雄ネジ（２８）のこれら接触部の摩擦力は、ゆえに、増加し、ゆるみ防止ネジ（２０）と対象物（４０）のゆるみを、対象物（４０）が規則正しい或いは不規則な振動を受けた場合でさえ防止する。最良のゆるみ防止効果は、該ネジ山の角が６４°であるときに提供され得る。
【００１６】
対象物（４０）がゆるみ防止ネジ（２０）よりも堅い場合は、ゆるみ防止ネジ（２０）の雄ネジ（２８）が、雄ネジ（２８）と雄ネジ（２８）に結合された雌ネジ（４２）の間の干渉はまりのために変形する。垂直力Ｎ１が、雌ネジ（４２）の第１フランク（４８）の接触部にかかる。別の垂直力Ｎ２が雌ネジ（４２）の第２フランク（５０）の接触部にかかり、図５に示されるとおりである。ゆえに、雌ネジ（４２）の第１フランク（４８）と第２フランク（５０）には、垂直力Ｎ１とＮ２がかかり、これによりゆるみ防止ネジ（２０）の雄ネジ（２８）と対象物（４０）の雌ネジ（４２）の間の摩擦力が増加する。最良のゆるみ防止効果は、ネジ山の角が６４°であるときに提供される。
【００１７】
ゆえに、等しくない第１角（Ａ）及び第２角（Ｂ）を有するネジ山の角を具えたゆるみ防止ネジ（２０）の雄ネジ（２８）が提供されることにより、ゆるみ防止ネジ（２０）の雄ネジ（２８）は伝統的な、６０°のネジ山の角を有する雌ネジ（４２）と干渉はまりを形成し得て、干渉はまりによる変形結果による十分な摩擦力により、優れたゆるみ防止効果を提供する。すなわち、ゆるみ防止ネジ（２０）は、簡単に対象物（４０）の雌ネジ（４２）に、小さな力を印加するだけで結合され得る。さらに、雌ネジ（４２）と雄ネジ（２８）の結合後の摩擦力の増加により、より良好な締結効果が得られる。ゆえに、ゆるみ防止ネジ（２０）は、たとえ対象物（４０）が規則的な或いは不規則な振動を作業中に受けたとしても、対象物（４０）との強固な結合を維持できる。ゆえに、雄ネジ（２８）にコーティングを施す必要がなく、ゆるみ防止ネジ（２０）の製造コストを節約できる。
【００１８】
一方で、もし対象物（４０）がゆるみ防止ネジ（２０）よりずっと堅い場合、雄ネジ（２８）と雌ネジ（４２）の結合後に対象物（４０）の雌ネジ（４２）が変形し、好ましいゆるみ防止効果を提供する。対象物（４０）がゆるみ防止ネジ（２０）と同じぐらい堅い場合、対象物（４０）の雌ネジ（４２）及びゆるみ防止ネジ（２０）の雄ネジ（２８）は、雄ネジ（２８）と雌ネジ（４２）の結合後に変形し、所望のゆるみ防止効果を提供する。
【００１９】
図６から図１２を参照されたい。ゆるみ防止ネジ（２０）は第１ダイ（１２０）及び第２ダイ（１４０）を包含するダイ装置により形成され得る。第１ダイ（１２０）及び第２ダイ（１４０）はそれぞれ平行六面体とされる。具体的には、第１ダイ（１２０）と第２ダイ（１４０）はそれぞれが、縦軸に沿って互いに離間した二端（１２２及び１２４、１４２及び１４４）を具えている。操作平面（１２６、１４６）が二端（１２２及び１２４、１４２及び１４４）間に延伸され、ネジ形成コンフィギュレーション（１２８、１４８）を有する。該ネジ形成コンフィギュレーション（１２８、１４８）は、互いに離間し及び互いに平行である複数の峰（１３０、１５０）及び、互いに離間し及び互いに平行であり並びに該複数の峰（１３０、１５０）に平行である複数の谷（１３６、１５６）を包含する。該第１ダイ（１２０）の二つの隣り合う峰（１３０）の間の間隙は該第２ダイ（１４０）の二つの隣り合う峰（１５０）間の間隙に等しく、該第１ダイ（１２０）の二つの隣り合う谷（１３６）の間の間隙は該第２ダイ（１４０）の二つの隣り合う谷（１５６）間の間隙に等しい。各該峰（１３０、１５０）及び各該谷（１３６、１５６）は該縦軸に関して斜めとされる。各谷（１３６、１５６）は各隣り合う峰（１３０、１５０）の間に位置する。
【００２０】
各該峰（１３０、１５０）は各隣り合う二つの谷（１３６、１５６）の間に位置すると共に第１側（１３２、１５２）及び第２側（１３４、１５４）を包含する。該第１側（１３２、１５２）は該峰（１３０、１５０）と該二つの隣り合う谷（１３６、１５６）のうちの一つの間に位置する。該第２側（１３４、１５４）は該峰（１３０、１５０）と該二つの隣り合う谷（１３６、１５６）のうちもう一つの間に位置し、該第１側と該第２側の間の鋭角は６３°から６８°の範囲にある。好ましくは、第１ダイ（１２０）及び第２ダイ（１４０）それぞれの該鋭角は、６４°とされる。該鋭角は第１角（Ｃ、Ｅ）と第２角（Ｄ、Ｆ）を包含する。該第１角（Ｃ、Ｅ）は該第１側（１３２、１５２）と該峰（１３０、１５０）の接線に対して垂直に延伸された軸（Ｙ１、Ｙ２）の間に画定される。該第２角（Ｄ、Ｆ）は該軸（Ｙ１、Ｙ２）と該第２側（１３４、１５４）の間に画定される。該第１角（Ｃ、Ｅ）は３４°から４０°の範囲にあり、該第２角（Ｄ、Ｆ）は２５°から２９°の範囲にある。該第１ダイ（１２０）の該第１角（Ｃ）は該第２ダイ（１４０）の該第１角（Ｅ）に等しく、該第１ダイ（１２０）の第２角（Ｄ）は該第２ダイ（１４０）の第２角（Ｆ）に等しい。
【００２１】
製造時には、第１ダイ（１２０）及び第２ダイ（１４０）は、ネジ山形成機械に配置され、同じ高さに配置される。第１ダイ（１２０）はネジ山形成機械上に固定され、第２ダイ（１４０）はネジ山形成機械上の往復運動メカニズム上に据えつけられる。第２ダイ（１４０）の一端（１４２）は第１ダイ（１２０）の一端（１２２）とアラインする。第１ダイ（１２０）と第２ダイ（１４０）の操作表面（１２６及び１４６）は、実質上、シャンク（２４）及び頭（２２）を有するスクリューブランクから形成されるゆるみ防止ネジ（２０）のピッチ寸法と同じである。スクリューブランクのシャンク（２４）は、供給装置により第１ダイ（１２０）の一端（１２２）及び第２ダイ（１４０）の一端（１４２）の間の位置に供給される。スクリューブランクの外周は、操作表面（１２６）及び操作表面（１４６）の間に挟まれる（図７及び図８参照）。
【００２２】
ネジ山形成機械が駆動されることで、第２ダイ（１４０）の一端（１４２）上の操作表面（１４６）が該スクリューブランクのシャンク（２４）の外周を圧迫し、第２ダイ（１４０）の一端（１４２）が第１ダイ（１２０）の一端（１２４）に向けて移動し、これにより、シャンク（２４）をその縦軸（Ｘ）の周りを回転させる。第１ダイ（１２０）及び第２ダイ（１４０）のネジ形成コンフィギュレーション（１２８、１４８）は、該スクリューブランクのシャンク（２４）の外周を押圧する。第１ダイ（１２０）及び第２ダイ（１４０）の峰（１３０、１５０）は、らせん状の谷底（３２）をシャンク（２４）の外周に形成する。第１ダイ（１２０）及び第２ダイ（１４０）の第１側（１３２、１５２）及び第２側（１３４、１５４）は、シャンク（２４）の外周上に第１フランク（３４）及び第２フランク（３６）を形成する。第１ダイ（１２０）及び第２ダイ（１４０）の谷（１３６、１５６）はシャンク（２４）の外周にらせん状の山の頂（３０）を形成する。第２ダイ（１４０）の一端（１４４）が第１ダイ（１２０）の一端（１２４）に接近する時（図１０参照）、雄ネジ（２８）がシャンク（２４）の外周に形成される（図１１参照）。
【００２３】
雄ネジ（２８）はネジ形成コンフィギュレーション（１２８、１４８）に対して相補形であるため、雄ネジ（２８）のネジ山の角は、６３°から６８°の範囲にある。雄ネジ（２８）の第１角（Ａ）は第１ダイ（１２０）の第１角（Ｃ）に等しく、及び第２ダイ（１４０）の第１角（Ｅ）に等しい。雄ネジ（２８）の第２角（Ｂ）は、第１ダイ（１２０）の第２角（Ｄ）に等しく、及び第２ダイ（１４０）の第２角（Ｆ）に等しい（図１２）。
【００２４】
動作方向における第２ダイ（１４０）の長さは、固定された第１ダイ（１２０）のそれよりも大きい。ゆえに、第２ダイ（１４０）がシャンク（２４）を押圧しシャンク（２４）を第１ダイ（１２０）の一端（１２４）まで回転させる時、シャンク（２４）は第２ダイ（１４０）により第１ダイ（１２０）の一端（１２４）まで移動させられ、第１ダイ（１２０）の一端（１２４）より下に落ち、シャンク（２４）上の雄ネジ（２８）の形成が完成する。往復メカニズムが第２ダイ（１４０）を図７に示されるその開始位置まで移動させ、供給装置により供給された別のスクリューブランクのシャンク（２４）上に雄ネジ（２８）を形成するのに待機する。
【００２５】
シャンク（２４）にダイ装置（１１０）により形成される雄ネジ（２８）は右回りのネジである。左回りの雄ネジ（２８）を有するゆるみ防止ネジ（２０）は、ネジ形成コンフィギュレーション（１２８、１４８）の傾斜方向を変更することで得られる。
【００２６】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００２７】
２０  ゆるみ防止ネジ
２２  頭
２４  シャンク
２８  雄ネジ
３０  山の頂
３２  谷底
３４  第１フランク
３６  第２フランク
４０  対象物
４２  雌ネジ
４４  らせん状の山の頂
４６  らせん状の谷底
４８  第１フランク
５０  第２フランク
１１０  ダイ装置
１２０  第１ダイ
１２２  末端
１２４  末端
１２６  操作表面
１２８  ネジ形成コンフィギュレーション
１３０  峰
１３２  第１側
１３４  第２側
１３６  谷
１４０  第２ダイ
１４２  末端
１４４  末端
１４６  操作表面
１４８  ネジ形成コンフィギュレーション
１５０  峰
１５２  第１側
１５４  第２側
１５６  谷
Ａ，Ｃ，Ｅ  第１角
Ｂ，Ｄ，Ｆ  第２角度
Ｘ  縦軸
Ｙ，Ｙ１，Ｙ２  軸
Ｎ１  正常の力
Ｎ２  正常の力
【図１】
2015052367.tif 000003
【図２】
2015052367.tif 000004
【図３】
2015052367.tif 000005
【図４】
2015052367.tif 000006
【図５】
2015052367.tif 000007
【図６】
2015052367.tif 000008
【図７】
2015052367.tif 000009
【図８】
2015052367.tif 000010
【図９】
2015052367.tif 000011
【図１０】
2015052367.tif 000012
【図１１】
2015052367.tif 000013
【図１２】
2015052367.tif 000014